(57)【要約】【課題】雨樋集水枡の下部の浮き上がりを抑制することができる集水枡取付構造を提案する。【解決手段】本発明は、建物の外壁面１０に設けた横引排水管２からの排水を受ける雨樋集水枡３を、外壁面１０に取り付けた集水枡取付構造である。雨樋集水枡３は、上部に固定部４を備え、固定部４より下方に係止部５を備える。この集水枡取付構造では、固定部４を外壁面１０に固定し、係止部５を外壁面１０に設けた係止具６に係止させている。【選択図】図１
2013237975.tif 000002
【特許請求の範囲】
【請求項１】
建物の外壁面に設けた横引排水管からの排水を受ける雨樋集水枡を、前記外壁面に取り付けた集水枡取付構造であって、
前記雨樋集水枡は、上部に固定部を備え、この固定部より下方に係止部を備え、
前記固定部を前記外壁面に固定し、前記係止部を前記外壁面に設けた係止具に係止させることを特徴とする集水枡取付構造。
【請求項２】
前記係止部は、前記雨樋集水枡の前記外壁面側の後壁に設けた上方に開口する係止溝であり、
前記係止具は、頭部とこれよりも小径の軸部とを備え、前記頭部が前記外壁面から離れた箇所に位置するように前記外壁面に固定され、
前記係止溝は、前記頭部よりも幅狭に形成され、
前記雨樋集水枡は、前記係止溝に前記軸部が挿通し、前記係止溝の周囲の前記後壁に前記頭部が当接するように配置されることを特徴とする請求項１に記載の集水枡取付構造。
【請求項３】
前記係止部は、前記雨樋集水枡の前記外壁面側の後壁の一部であり、
前記係止具は、下方に開口する差込溝を備え、
前記係止部は、前記係止具の前記差込溝に差し込まれて係止されることを特徴とする請求項１に記載の集水枡取付構造。
【発明の詳細な説明】
【技術分野】
【０００１】
本発明は、建物の外壁面に雨樋集水枡を取り付けた集水枡取付構造に関する。
【背景技術】
【０００２】
従来から、特許文献１等によって、排水部材からの排水を受ける雨樋集水器を、建屋の外壁面に取り付けた構造が提案されている。
【０００３】
特許文献１の雨樋集水器は、建屋側側面の上部に設けられた係合部材を、外壁面に取り付けた吊設部材に係合させることで、外壁面に固着される。
【先行技術文献】
【特許文献】
【０００４】
【特許文献１】特開平９−２５６９１号公報
【発明の概要】
【発明が解決しようとする課題】
【０００５】
しかし、特許文献１の雨樋集水器は、その上部だけが外壁面に取り付けられているため、下部が外壁面から離れる側へと浮き上がってしまうおそれがある。その場合、雨樋集水器の底部が傾いて、底部に備える排水孔からの排水が行いにくい等の問題がある。
【０００６】
そこで、上記事情を鑑みて、本発明は、雨樋集水枡の下部の浮き上がりを抑制することができる集水枡取付構造を提案することを課題とする。
【課題を解決するための手段】
【０００７】
上記課題を解決するために本発明の集水枡取付構造は、建物の外壁面に設けた横引排水管からの排水を受ける雨樋集水枡を、前記外壁面に取り付けた集水枡取付構造であって、前記雨樋集水枡は、上部に固定部を備え、この固定部より下方に係止部を備え、前記固定部を前記外壁面に固定し、前記係止部を前記外壁面に設けた係止具に係止させることを特徴とする。
【０００８】
また、前記係止部は、前記雨樋集水枡の前記外壁面側の後壁に設けた上方に開口する係止溝であり、前記係止具は、頭部とこれよりも小径の軸部とを備え、前記頭部が前記外壁面から離れた箇所に位置するように前記外壁面に固定され、前記係止溝は、前記頭部よりも幅狭に形成され、前記雨樋集水枡は、前記係止溝に前記軸部が挿通し、前記係止溝の周囲の前記後壁に前記頭部が当接するように配置されることが好ましい。
【０００９】
あるいは、前記係止部は、前記雨樋集水枡の前記外壁面側の後壁の一部であり、前記係止具は、下方に開口する差込溝を備え、前記係止部は、前記係止具の前記差込溝に差し込まれて係止されることが好ましい。
【発明の効果】
【００１０】
本発明の集水枡取付構造では、雨樋集水枡は、上部の固定部が外壁面に固定され、それよりも下方の係止部が、外壁面に設けた係止具に係止される。これにより、雨樋集水枡は、雨樋集水枡の下部の浮き上がりを抑制することができる。
【図面の簡単な説明】
【００１１】
【図１】本発明の第一実施形態の集水枡取付構造を示す斜視図である。
【図２】同上の集水枡取付構造の雨樋集水枡を示す斜視図であり、（ａ）は正面側から視た図であり、（ｂ）は背面側から視た図であり、（ｃ）は背面側から視た図であり、上蓋の図示を省略した図である。
【図３】（ａ）〜（ｃ）は同上の集水枡取付構造の施工手順を示す斜視図である。
【図４】本発明の第二実施形態の集水枡取付構造の雨樋集水枡を、背面側から視た斜視図であり、上蓋の図示を省略した図である。
【図５】（ａ）〜（ｃ）は本発明の第三実施形態の集水枡取付構造の雨樋集水枡を示す斜視図であり、（ｄ）は同上の集水枡取付構造の係止具を示す斜視図である。
【図６】（ａ）〜（ｃ）は同上の集水枡取付構造の施工手順を示す斜視図である。
【図７】同上の集水枡取付構造を示す側断面図である。
【発明を実施するための形態】
【００１２】
以下、本発明の実施形態について添付図面に基づいて説明する。
【００１３】
図１に示す第一実施形態の集水枡取付構造は、建物の外壁面１０と、外壁面１０に設けた横引排水管２と、外壁面１０に取り付けられた雨樋集水枡３とを備える。雨樋集水枡３は、横引排水管２からの排水を受けて、竪樋やエルボに流すものである。
【００１４】
横引排水管２は、建物の外壁１を貫通するように設けられており、上流側の一端がベランダや屋上等に設けられた排水溝に連通されている。横引排水管２は、この上流側の一端に流れ込んだ水を、雨樋集水枡３へと排水する。なお、横引排水管２の下流側の一端には、排水方向を下方へと変えるエルボを取り付けてもかまわない。
【００１５】
雨樋集水枡３は、図２に示すように、方形の枡である枡本体３０と、枡本体３０の上部開口３１に取り付け可能な上蓋３２とからなる。枡本体３０の外壁面１０側の壁である後壁３３には、上部に枡本体３０を外壁面１０に固定するための固定部４を備え、この固定部４よりも下方に、横引排水管２を枡本体３０内に導入するための導入孔３４を備える。
【００１６】
後壁３３の外壁面１０側の面（後面）には、図２（ｂ），（ｃ）に示すように、外壁面１０側に突出する凸条体８を備えている。凸条体８は、略Ｕ字状をなしている。固定部４は、この凸条体８の上端部から上方に突出した突出片４０からなり、突出片４０には、ねじ等の固定具７が挿入される固定孔４１が形成されている。固定部４は、枡本体３０の上部開口３１よりも上方に位置している。導入孔３４は、凸条体８の内側の後壁３３を上端から略Ｕ字状に切り欠いて形成されている。また、枡本体３０の底部には、竪樋やエルボを接続するための排水口３５を備えている。枡本体３０の底面３６は、図１に示すように、排水口３５に向けて下り傾斜するように傾けて設けられている。
【００１７】
本実施形態では、導入孔３４下方の後壁３３の左右方向の中央部に、上方に向けて開口する係止溝５０からなる係止部５を形成している。係止溝５０は、上下方向に延びる長孔であり、上端部から下端部までの溝幅が略一定の幅で形成されている。この溝幅は、後述する係止具６の頭部６０の径より狭く、係止具６の軸部６１の径と略同じとなるように形成されている。
【００１８】
本実施形態では、外壁面１０に設けられる係止具６は、螺子であり、頭部６０と、それよりも小径の軸部６１とを備える。なお、係止具６は、釘であってもよい。
【００１９】
続いて、本実施形態の集水枡取付構造の施工手順の一例について説明する。
【００２０】
まず、図３（ａ）に示すように、横引排水管２の下方の外壁面１０に、係止具６を固定する。このとき、係止具６の頭部６０が、外壁面１０から所定距離離れた位置となるように、係止具６を固定する。次いで、係止具６の下方で、枡本体３０の後壁３３を外壁面１に沿わせ、この枡本体３０を上方に移動させることで、枡本体３０の係止溝５０に係止具６の軸部６１を差し込ませる。係止溝５０に係止具６の軸部６１を差し込んだ状態で、係止溝５０の周囲の後壁３３が、係止具６の頭部６０に当接し、枡本体３０の凸条体８の突出先端が外壁面１０に当接する。横引排水管２の上端が後壁３３の導入孔３４内に位置する箇所まで、枡本体３０を上方に移動させた後、枡本体３０の上端部の固定部４（固定孔４１）に固定具７を挿入して、図３（ｂ）に示すように、枡本体３０を外壁面１０に固定する。次いで、図３（ｃ）に示すように、枡本体３０の上部開口３１を上蓋３２で覆う。
【００２１】
以上のようにして施工された集水枡取付構造では、雨樋集水枡３が、上部だけでなくその下部も外壁面１０に保持される。これにより、雨樋集水枡３は、下部が外壁面１０から離れる側に浮き上がることを抑制できる。その結果、雨樋集水枡３の底面３６が傾いて、排水口３５からの排水が行われ難くなることや、排水口３５に竪樋やエルボが接続し難くなることを抑制できる。
【００２２】
上述した集水枡取付構造では、係止具６の頭部６０の位置は、頭部６０と外壁面１との間の距離が、後壁３３の前面から凸条体８の突出先端までの距離と同じか、それよりも若干短くなるように設定する。ここで、本実施形態では、雨樋集水枡３を外壁面１に取り付けた状態で、後壁３３に設けた凸条体８によって、係止溝５０の周囲の後壁３３の後面と外壁面１との間に隙間が形成されるようにしている。そのため、係止溝５０の周囲の後壁３３は、外壁面１側へ多少撓むことできるため、係止具６の頭部６０の位置調整の精度が緩和される。
【００２３】
なお、第一実施形態では、枡本体３０の係止溝５０を上下方向に延びた長孔としたことで、この枡本体３０の上下位置の調整を簡単に行えるものとなっている。
【００２４】
以上説明した第一実施形態の集水枡取付構造では、雨樋集水枡３が備える係止溝５０を、上端部から下端部に亘って一定の溝幅となるように形成していたが、これに限定されない。すなわち、図４に示す第二実施形態の雨樋集水枡３のように、係止溝５０の上端部に、溝幅を広くした導入部５１を備えるようにしてもよい。導入部５１では、係止溝５０上端部の両脇の角部分を、凸曲面状のテーパ面としている。そのため、導入部５１では、上端が最大幅の開口となっており、下方ほど幅狭となっている。なお、導入部５１の下端の溝幅は、それよりも下方の係止溝５０の溝幅と同じ幅となっている。このように係止溝５０の上端部に導入部５１を設けることによって、係止溝５０への係止具６の軸部６１の導入がしやすくなっている。
【００２５】
続いて、第三実施形態の集水枡取付構造について説明する。第一実施形態の集水枡取付構造と同様の構成については、図中に同じ符号を付けて説明を省略し、異なる箇所のみ詳しく説明する。
【００２６】
第三実施形態の集水枡取付構造では、雨樋集水枡３が、図５（ｂ），（ｃ）に示すように、係止溝５０を備えない構成となっており、枡本体３０の後壁３３の一部が、係止部５をなしている。ここで、この枡本体３０の後壁３３の一部とは、後壁３３のうち導入孔３４下端の直ぐ下の箇所を示す。そして、係止具６が、図５（ｄ）に示すように、固定具７によって外壁面１０に取り付けられる取付板６４と、下方に開口する差込溝６５とを備える。差込溝６５は、取付板６４の上端部と、この取付板６４の上端から前方に突出する上板６３と、上板６３の前端から下方に突出した前板６２とで囲んで形成される。取付板６４には、固定具７が挿入される挿入孔６６が形成されている。挿入孔６６は上下方向に延びた長孔となっている。
【００２７】
続いて、第三実施形態の集水枡取付構造の施工手順について説明する。
【００２８】
まず、図６（ａ）に示すように、横引排水管２の下方の外壁面１０に、固定具７によって係止具６の取付板６４を固定する。次いで、枡本体３０を係止具６の下方から上方へと移動させて、係止具６の差込溝６５に、導入孔３４の下方の後壁３３の一部である係止部５を差し込む。係止具６の差込溝６５に係止部５を差し込んだ状態で、図７に示すように、後壁３３の前面が、係止具６の前板６２の後面に当接し、枡本体３０の凸条体８の先端が外壁面１０に当接し、横引排水管２が上端まで後壁３３の導入孔３４内に位置する。次いで、図６（ｂ）に示すように、枡本体３０の上端部の固定部４（固定孔４１）に固定具７を挿入して外壁面１０に固定する。次いで、図６（ｃ）に示すように、枡本体３０の上部開口３１を上蓋３２で覆う。
【００２９】
以上のようにして施工された集水枡取付構造では、雨樋集水枡３が、上部だけでなくその下部も外壁面１０に保持される。これにより、雨樋集水枡３は、下部が外壁面１０から離れる側に浮き上がることを抑制できる。その結果、雨樋集水枡３の底面３６が傾いて、排水口３５からの排水が行われ難くなることや、排水口３５に竪樋やエルボが接続し難くなることを抑制できる。
【００３０】
なお、第三実施形態では、第一実施形態の係止具６のように頭部６０の位置調整の必要がないため、施工が簡単である。また、第三実施形態では、係止具６の挿入孔６６を上下方向に延びた長孔としたことで、係止具６の上下位置の調整、つまりは、これに係止される枡本体３０の上下位置の調整を簡単に行えるものとなっている。
【００３１】
以上まとめると、第一乃至第三実施形態の集水枡取付構造は、建物の外壁面１０に設けた横引排水管２からの排水を受ける雨樋集水枡３を、外壁面１０に取り付けた集水枡取付構造である。雨樋集水枡３は、上部に固定部４を備え、固定部４より下方に係止部５を備える。この集水枡取付構造では、固定部４を外壁面１０に固定し、係止部５を外壁面１０に設けた係止具６に係止させている。
【００３２】
このような構成とすることで、第一乃至第三実施形態の集水枡取付構造では、雨樋集水枡３は、上部の固定部４が外壁面１０に固定され、その下方の係止部５が、外壁面１０に設けた係止具６に係止される。これにより、雨樋集水枡３の下部の浮き上がりを抑制することができる。
【００３３】
また、第一及び第二実施形態の集水枡取付構造では、係止部５は、雨樋集水枡３の外壁面１０側の後壁３３に設けた上方に開口する係止溝５０である。係止具６は、頭部６０とこれよりも小径の軸部６１とを備え、頭部６０が外壁面１０から離れた箇所に位置するように外壁面１０に固定されている。係止溝５０は、頭部６０よりも幅狭に形成されている。雨樋集水枡３は、係止溝５０に軸部６１が挿通し、係止溝５０の周囲の後壁３３に頭部６０が当接するように配置されている。
【００３４】
このような構成とすることで、外壁面１０に固定した係止具６の軸部６１を、雨樋集水枡３の係止溝５０に差し込ませ、係止溝５０の周囲の後壁３３に係止具６の頭部６０を当接させて、雨樋集水枡３の固定部４よりも下部を外壁面１０に係止させることができる。そして、雨樋集水枡３の上部の固定部４を外壁面１０に固定することによって、雨樋集水枡３は、上部だけでなくその下部も外壁面に保持されることとなり、雨樋集水枡３の下部の浮き上がりを抑制することができる。
【００３５】
また、第三実施形態の集水枡取付構造では、係止部５は、雨樋集水枡３の外壁面１０側の後壁３３の一部である。係止具６は、下方に開口する差込溝６５を備える。係止部５は、係止具６の差込溝６５に差し込まれて係止されている。
【００３６】
このような構成とすることで、外壁面１０に設けた係止具６の差込溝６５に、下方から雨樋集水枡３の外壁面１０側の後壁３３の一部を差し込むことで、雨樋集水枡３の下部は外壁面１０に係止させることができる。そして、雨樋集水枡３の上部の固定部４を外壁面１０に固定することによって、雨樋集水枡３は、上部だけでなくその下部も外壁面１０に保持されることとなり、雨樋集水枡３の下部の浮き上がりを抑制することができる。
【００３７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３８】
２      横引排水管
３      雨樋集水枡
４      固定部
５      係止部
６      係止具
１０    外壁面
３３    後壁
５０    係止溝
６０    頭部
６１    軸部
６５    差込溝
【図１】
2013237975.tif 000003
【図２】
2013237975.tif 000004
【図３】
2013237975.tif 000005
【図４】
2013237975.tif 000006
【図５】
2013237975.tif 000007
【図６】
2013237975.tif 000008
【図７】
2013237975.tif 000009